(57)【要約】車両のエネルギ蓄積装置を回生するための複数のモードから選択するための例示的な方法であって、この方法は、車両の運転条件を決定し、また、運転条件に基づいて回生が好適である場合、車両性能に影響がない回生モードと、車両性能に影響がある回生モードとから選択することを含んで、エネルギ蓄積装置を回生することを含むことを特徴とする。【選択図】図１
2015514624.tif 000002
【特許請求の範囲】
【請求項１】
車両のエネルギ蓄積装置を回生するためのモードを複数のモードから選択する方法であって、
前記車両の運転条件を決定し、
前記運転条件に基づいて回生が好適である場合、車両性能に影響がない回生モードと、車両性能に影響がある回生モードとから選択することを伴って、前記エネルギ蓄積装置を回生する、
ことを含むことを特徴とする方法。
【請求項２】
前記車両性能に影響がない回生モードを選択することは、さらに、
前記車両のエンジンに対してスロットルを開放し、
スーパーチャージャーを横切る圧力降下が、前記スーパーチャージャーを回転させることを可能にし、
前記スーパーチャージャーからのトルクを電動発電機に適用して、前記エネルギ蓄積装置をチャージする、
ことを含むことを特徴とする請求項１に記載の方法。
【請求項３】
前記エンジンへの流量の急激な変化が必要とされる場合、バイパスバルブを開放し、流体が前記スーパーチャージャーをバイパスすることを可能にすることをさらに含むことを特徴とする請求項２に記載の方法。
【請求項４】
前記車両性能に影響がない回生モードを選択することは、さらに、
前記車両のスーパーチャージャーをロックし、
電動発電機からの負トルクを、前記車両のエンジンに適用し、前記車両の制動をサポートし、
前記電動発電機に適用される前記負トルクが、前記エネルギ蓄積装置をチャージすることを可能にする、
ことを含むことを特徴とする請求項１に記載の方法。
【請求項５】
前記車両性能に影響がない回生モードを選択することは、さらに、
スーパーチャージャーの下流における圧力を増加させて、前記スーパーチャージャーに制動させるように、前記車両のエンジンのスロットルを制御し、
電動発電機からの負トルクを、前記車両の前記エンジンに適用し、前記車両の制動をサポートし、
前記電動発電機に適用される前記負トルクが、前記エネルギ蓄積装置をチャージすることを可能にする、
ことを含むことを特徴とする請求項１に記載の方法。
【請求項６】
前記車両性能に影響がある回生モードを選択することは、さらに、
前記車両のエンジンに対してスロットルを開放し、
スーパーチャージャーを横切る圧力降下が、前記スーパーチャージャーを回転させることを可能にし、
前記スーパーチャージャーが回転することにより、前記スーパーチャージャーが、前記エンジンに負トルクを適用することを可能にし、
前記スーパーチャージャーからのトルクを、電動発電機に適用し、前記エネルギ蓄積装置をチャージする、
ことを含むことを特徴とする請求項１に記載の方法。
【請求項７】
前記車両性能に影響がある回生モードを選択することは、さらに、
スーパーチャージャーを停止させ、
前記車両のエンジンからのトルクを、電動発電機に適用し、前記エネルギ蓄積装置をチャージする、
ことを含むことを特徴とする請求項１に記載の方法。
【請求項８】
スーパーチャージャー及び電動発電機を有する車両のエネルギ蓄積装置を回生するためのモードを複数のモードから選択する方法であって、
前記スーパーチャージャーを用いて、前記車両の内燃機関を過給し、
前記エネルギ蓄積装置によって動力供給される前記電動発電機を用いて、前記車両を駆動し、
前記エネルギ蓄積装置を回生するためのモードを前記複数の回生運転モードから選択する、
ことを含むことを特徴とする方法。
【請求項９】
前記複数の回生運転モードから選択することは、さらに、
前記車両の運転条件を決定し、
前記運転条件に基づいて回生が好適である場合、車両性能に影響がない回生モードと、車両性能に影響がある回生モードとから選択することを伴って、前記エネルギ蓄積装置を回生する、
ことを含むことを特徴とする請求項８に記載の方法。
【請求項１０】
前記車両性能に影響がない回生モードを選択することは、さらに、
前記車両のエンジンに対してスロットルを開放し、
前記スーパーチャージャーを横切る圧力降下が、前記スーパーチャージャーを回転させることを可能にし、
前記スーパーチャージャーからのトルクを、前記電動発電機に適用し、前記エネルギ蓄積装置をチャージする、
ことを含むことを特徴とする請求項９に記載の方法。
【請求項１１】
前記エンジンの速度の急速な変化が必要とされる場合、バイパスバルブを開放し、空気流の増加を可能にすることをさらに含むことを特徴とする請求項１０に記載の方法。
【請求項１２】
前記車両性能に影響がない回生モードを選択することは、さらに、
前記車両の前記スーパーチャージャーをロックし、
前記電動発電機からの負トルクを、前記車両のエンジンに適用し、前記車両の制動をサポートし、
前記電動発電機に適用される前記負トルクが、前記エネルギ蓄積装置をチャージすることを可能にする、
ことを含むことを特徴とする請求項９に記載の方法。
【請求項１３】
前記車両性能に影響がない回生モードを選択することは、さらに、
前記スーパーチャージャーの下流における圧力を増加させて、前記スーパーチャージャーに制動させるように、前記車両のエンジンのスロットルを制御し、
前記電動発電機からの負トルクを、前記車両の前記エンジンに適用し、前記車両の制動をサポートし、
前記電動発電機に適用される前記負トルクが、前記エネルギ蓄積装置をチャージすることを可能にする、
ことを含むことを特徴とする請求項９に記載の方法。
【請求項１４】
前記車両性能に影響がある回生モードを選択することは、さらに、
前記車両のエンジンに対してスロットルを開放し、
前記スーパーチャージャーを横切る圧力降下が、前記スーパーチャージャーを回転させることを可能にし、
前記スーパーチャージャーが回転することにより、前記スーパーチャージャーが、前記エンジンに負トルクを適用することを可能にし、
前記スーパーチャージャーからのトルクを、前記電動発電機に適用し、前記エネルギ蓄積装置をチャージする、
ことを含むことを特徴とする請求項９に記載の方法。
【請求項１５】
前記車両性能に影響がある回生モードを選択することは、さらに、
前記スーパーチャージャーを停止させ、
前記車両のエンジンからのトルクを、前記電動発電機に適用し、前記エネルギ蓄積装置をチャージする、
ことを含むことを特徴とする請求項９に記載の方法。
【請求項１６】
スーパーチャージャーを用いて車両のエネルギ蓄積装置を回生するための方法であって、
前記車両の運転条件を決定し、
前記運転条件に基づいて回生が好適である場合、前記スーパーチャージャーを用いて前記エネルギ蓄積装置を回生する、
ことを含むことを特徴とする方法。
【請求項１７】
前記エネルギ蓄積装置を回生することは、さらに、
前記車両のエンジンに対してスロットルを開放し、
前記スーパーチャージャーを横切る圧力降下が、前記スーパーチャージャーを回転させることを可能にし、
前記スーパーチャージャーからのトルクを、電動発電機に適用し、前記エネルギ蓄積装置をチャージする、
ことを含むことを特徴とする請求項１６に記載の方法。
【請求項１８】
前記エンジンの速度の急速な変化が必要とされる場合、バイパスバルブを開放し、空気流の増加を可能にすることをさらに含むことを特徴とする請求項１７に記載の方法。
【請求項１９】
前記エネルギ蓄積装置を回生することは、さらに、
前記車両の前記スーパーチャージャーをロックし、
電動発電機からの負トルクを、前記車両のエンジンに適用し、前記車両の制動をサポートし、
前記電動発電機に適用される前記負トルクが、前記エネルギ蓄積装置をチャージすることを可能にする、
ことを含むことを特徴とする請求項１６に記載の方法。
【請求項２０】
前記エネルギ蓄積装置を回生することは、さらに、
前記車両のエンジンに対してスロットルを開放し、
前記スーパーチャージャーを横切る圧力降下が、前記スーパーチャージャーを回転させることを可能にし、
前記スーパーチャージャーが回転することにより、前記スーパーチャージャーが、前記エンジンに負トルクを適用することを可能にし、
前記スーパーチャージャーからのトルクを、電動発電機に適用し、前記エネルギ蓄積装置をチャージする、
ことを含むことを特徴とする請求項１６に記載の方法。
【発明の詳細な説明】
【技術分野】
【０００１】
本出願は、PCT国際特許出願として、2013年3月13日に出願されており、かつ、2012年3月29日に出願された米国特許出願第61／617,152号に対する優先権を主張し、その開示内容はその全体を参照として本明細書に組み込む。
【０００２】
本発明における教示は、概して、スーパーチャージャー，電動発電機，及び，遊星歯車装置を含むスーパーチャージャーアセンブリを含む。
【背景技術】
【０００３】
エネルギ効率の良い、サイズが縮小されたエンジンは、燃料節約とコスト削減のために望ましい。より小さなエンジンは、より大きなエンジンより小さいトルクを供給する。スーパーチャージャーが、時に用いられ、エンジンから利用可能なトルクを増大させる。エンジン低速時において、より高いトルクが、車両運転者がアクセルペダルを踏むことにより、頻繁に要求された場合、スーパーチャージャーは、エンジンの吸気マニホールドに追加の空気を供給し、空気圧力を上昇させ、これにより、エンジンが、エンジン低速時において、より大きなトルクを生成することを可能にする。
【発明の概要】
【０００４】
本発明における教示は、概して、車両のエネルギ蓄積装置を回生するためのモードを複数のモードから選択する方法であって、この方法は、車両の運転条件を決定し、運転条件に基づいて回生が好適である場合、車両性能に影響がない回生モードと、車両性能に影響がある回生モードとから選択することを伴って、エネルギ蓄積装置を回生することを含むことを特徴とする。
【０００５】
もう１つの例として、スーパーチャージャー及び電動発電機を有する車両のエネルギ蓄積装置を回生するためのモードを複数のモードから選択する方法であって、この方法は、スーパーチャージャーを用いて、車両の内燃機関を過給し、エネルギ蓄積装置によって動力供給される電動発電機を用いて車両を駆動し、また、エネルギ蓄積装置を回生するためのモードを複数の回生運転モードから選択する、ことを含むことを特徴とする。
【０００６】
さらなるもう１つの例として、スーパーチャージャーを用いて車両のエネルギ蓄積装置を回生するための方法であって、この方法は、車両の運転条件を決定し、運転条件に基づいて回生が好適である場合、スーパーチャージャーを用いてエネルギ蓄積装置を回生する、ことを含むことを特徴とする。
【０００７】
上述の特徴と利点，及び，本発明における教示の他の特徴と利点は、添付した図面と関連して本発明における教示を実施するための以下の最良の形態の詳細な説明から容易に明らかとなる。
【図面の簡単な説明】
【０００８】
【図１】本発明における教示の１つの態様に従い、スーパーチャージャーアセンブリのハウジングアセンブリが部分的に取り除かれた、スーパーチャージャーアセンブリ及びエンジンアセンブリの概略側面図である。
【図２】図１のハウジングアセンブリ内のスーパーチャージャーアセンブリの概略側面図である。
【図３】図２の線分3-3において切断されたスーパーチャージャーアセンブリの略断面図である。
【図４】図３の線分4-4において切断されたスーパーチャージャーアセンブリの略断面図である。
【図５】図４に示されている１つの領域における、スーパーチャージャーの一部の概略図である。
【図６】ハウジングアセンブリのギアカバー部の略端面図である。
【図７】図６の線分7-7において切断されたギアカバー部内部のスーパーチャージャーアセンブリの一部の略断面図である。
【図８】ギアカバー部の概略斜視図である。
【図９】ハウジングアセンブリの排気ハウジング及び排気管の概略斜視図である。
【図１０】ハウジングアセンブリの排気ハウジング及び排気管の略平面図である。
【図１１】ハウジングアセンブリの排気ハウジング及び排気管の概略側面図である。
【図１２】図１１の線分12-12において切断された排気ハウジング及び排気管の略断面図である。
【図１３】モータハウジング部の略端面図である。
【図１４】モータハウジング部の概略斜視図である。
【図１５】モータハウジング部の略平面図である。
【図１６】ブレーキ用のキャビティを形成するハウジングの吸気カバー部の略端面図である。
【図１７】図１６の線分17-17において切断された吸気カバー部の略断面図である。
【図１８】吸気カバー部の概略斜視図である。
【図１９】図３のプーリシャフトに取り付けられるオイルスリンガの概略斜視図である。
【図２０】図６に示されているギアカバー部の反対側の略端面図である。
【図２１】本発明における教示のもう１つの態様に従った、排気ハウジング及び排気管を有する排気用の部品を備えたロータハウジング部の略断面図である。
【図２２】図２１の排気ハウジング及び排気管を備えた排気用部品の概略斜視図である。
【図２３】図２のロータハウジング部の略底面図である。
【図２４】図２１及び２２の排気用部品を有するスーパーチャージャーアセンブリの略側面図である。
【図２５】回生用の適切な運転モードを選択するための例示的な方法における流れ図である。
【図２６】スロットルロス回生モードで動作している図１のスーパーチャージャーアセンブリ及びエンジンアセンブリの概略側面図である。
【図２７】スーパーチャージャーをロックした状態での制動回生モードで動作している図１のスーパーチャージャーアセンブリ及びエンジンアセンブリの概略側面図である。
【図２８】スーパーチャージャーをロック解除した状態での制動回生モードで動作している図１のスーパーチャージャーアセンブリ及びエンジンアセンブリの概略側面図である。
【図２９】ポンピング回生モードで動作している図１のスーパーチャージャーアセンブリ及びエンジンアセンブリの概略側面図である。
【図３０】エンジン回生モードで動作している図１のスーパーチャージャーアセンブリ及びエンジンアセンブリの概略側面図である。
【発明を実施するための形態】
【０００９】
図面を参照すると、いくつかの図を通しての同一の符号は、同一の部品を示しており、図１は、スロットルバルブと直列に設置されたスーパーチャージャー12を備えたスーパーチャージャーアセンブリ11を含むエンジンアセンブリ10を示している。また、ここでは、スロットルバルブは、エンジン13のスロットルボディ16内に配置されるスロットル14として示されている。このスロットルボディ16は、吸気マニホールド20内のプレナム18の上流から、エンジン13へ空気が流れるように構成されている。
【００１０】
スーパーチャージャー12は、スロットル14の上流からエンジン13に空気が流れるように示されているが、スーパーチャージャー12は、代わりに、スロットル14の下流からエンジン13に空気が流れるように構成されてもよい。換言すると、スロットル14は、スーパーチャージャー12の吸気口84に空気を供給してもよく、また、スーパーチャージャー12の排気口は、プレナム18に直接導かれてもよい。さらに、当然のことながら、スーパーチャージャー12は、ディーゼルエンジンのようなスロットルを有さないエンジンに用いられてもよい。
【００１１】
スーパーチャージャー12は、第２ロータ28（この第２ロータ28は、図３において見ることができる）と噛み合うことができる第１ロータ26を備えた一組のロータ２４を有することができる。ロータ26,28の其々は、複数のローブを有する。スーパーチャージャー12は、プレナム18の上流の空気圧を上昇させ、エンジンシリンダ内に、より多くの空気を送り込み、これにより、トランスミッション22を介して駆動軸21に動力を供給するためのエンジン出力を増大させることができる。
【００１２】
スーパーチャージャー12は、１回転あたりに一定の空気量を出力するルーツ式スーパーチャージャーのような固定容量型のスーパーチャージャーである。増加した空気出力は、プレナム18内に送り込まれたとき、加圧される。ルーツ式スーパーチャージャーは、容積型の装置であり、このため、圧力を上昇させるうえで、回転数に依存しない。ルーツ式スーパーチャージャーによって供給されるロータ26,28其々の１回転あたりの空気量は、一定である（つまり、速度によって変化しない）。これにより、ルーツ式スーパーチャージャーが、コンプレッサーよりはむしろポンプとして機能するため、ルーツ式スーパーチャージャーは、低速時のエンジン及びロータにおいて圧力を発生させることができる（このとき、スーパーチャージャーは、エンジンにより駆動される）。
【００１３】
ルーツ式スーパーチャージャー12によって供給される空気の圧縮は、スーパーチャージャー12の下流で、固定容量型のエンジンプレナム18内の空気量を増加させることにより行われる。あるいは、スーパーチャージャー12は、空気がスーパーチャージャー12を通過するときに空気を圧縮する遠心式スーパーチャージャーのようなコンプレッサーであってもよい。しかし、空気を圧縮すると、それにより、スロットルボディ16に供給される空気量，及び，プレナム18内の空気圧は、圧縮機の圧縮速度に依存することになる。
【００１４】
スーパーチャージャーアセンブリ11は、サンギア部材42，リングギア部材44，及び，キャリア部材46を備えた遊星歯車装置41を含む。このキャリア部材46は、リングギア部材44とサンギア部材42の両方と噛み合う一組のピニオンギア47を、回転自在に支持している。サンギア部材42は、遊星歯車セット41の第3部材として言及され、リングギア部材44は、遊星歯車セット41の第１部材として言及され、さらに、キャリア部材46は、遊星歯車セット41の第２部材として言及される。遊星歯車セット41は、簡素な遊星歯車セットである。複合的な遊星歯車セットが、他の実施形態として用いられてもよい。
【００１５】
図３に示されているように、第１ロータ26は、第１シャフト30まわりに回転し、また、一組の噛み合いタイミングギア34,36を介して、第２ロータ28の複数のローブと噛み合う、複数のローブを有する。当然のことながら、ロータ26,28は、ロータ26,28が回転するときに、それらのローブが互いに噛み合う。しかしながら、ロータ26,28のローブは、互いに接触しない。第２ロータ28は、第２シャフト32まわりに回転する。第２シャフト32は、一組の噛み合いタイミングギア34,36を介して、第１シャフト30により、駆動される。特に、第１ギア34は、第１ロータ26と共転するように、第１シャフト30に取り付けられている。第２ギア36は、第２ロータ28と共転するように、第２シャフト32に取り付けられている。第１ギア34は、第２ギア36と噛み合う。
【００１６】
図１に示されているように、電磁クラッチ55が、回転するクランクシャフト48に取り付けられるプーリ57を、クランクシャフト48に接続するように係合する場合、エンジン13は、ベルト駆動装置49を介してキャリア部材46に動作可能に接続されるクランクシャフト48を有する。これにより、このプーリ57及びクランクシャフト48は、ベルト63を介して、プーリシャフト61に取り付けられたプーリ59に駆動可能に接続され、このプーリシャフト61と共転する。プーリシャフト61は、キャリア部材46と同じ速度で共転するように、キャリア部材46に接続されている。
【００１７】
クラッチ55は、通常結合クラッチであり、通常、クラッチパックが、クランクシャフト48にスプライン結合される第１の一組のプレート31を、プーリ57と共転するように強固に接続されたクラッチハウジング35にスプライン結合される第２の一組のプレート33に係合する係合状態にある。スプリング37は、一組のプレート31,33の方へアプライプレート38を付勢し、クラッチ55を係合状態に保持する。このスプリング37の付勢力に打ち勝ち、クラッチプレート31,33から軸方向に離れるようにプレート38を移動させるための磁力を生成するように、コイル39が励磁され、これにより、クラッチ55の連結が外れる。
【００１８】
このコイル39は、制御信号をクラッチ55に送るように作動するエンジンコントローラのようなシステムコントローラ65を含む制御システムにより、選択的に励磁される。また、このコントローラ65は、本明細書内で説明されるような、モータコントローラ62、並びに、電磁ブレーキ68，バイパスバルブ70，及び，スロットル14に作動可能に接続されている。通常開放式クラッチを含む、他のあらゆるタイプのクラッチが、クラッチ55の代わりに用いられてもよい。
【００１９】
電動発電機／ジェネレータ50は、第２ギア部材５４と噛み合う第１ギア部材53を含むギアトレーンを介して、リングギア部材44にトルクを伝達するか、または、このリングギア部材44からのトルクを受けることができる。この電動発電機50は、モータシャフト52を有し、このモータシャフト52は、モータシャフト52に取り付けられた第１ギア部材53と共転することができる。
【００２０】
第１ギア部材53は、リングギア部材44と噛み合う段付ギア部材である第２ギア部材54と噛み合うことができる。サンギア部材42は、部分的に柔軟な連結部材58を介して第１シャフト30に接続されるシャフト56と共転するため、サンギア部材42は、スーパーチャージャー12の第１ロータ26と同じ速度で回転する。この連結部材58は、第１シャフト30と、サンギア部材42に接続されるシャフト56との間のねじり振動及び軸方向振動を吸収するためにたわむ。第１ロータ26の回転は、噛み合いギア34,36を介して第２ロータ28を回転させる。
【００２１】
電動発電機50は、一体型電子モータ制御装置62を有し、この制御装置62は、電動発電機50がモータまたは発電機として機能するように、電動発電機50の動作を制御する。電動発電機50がモータとして機能する場合、電動発電機50は、電力ケーブル66を経由して、バッテリのようなエネルギ蓄積装置64から蓄積された電気エネルギを受け取る。
【００２２】
制御装置62は、エネルギが、エネルギ蓄積装置64から電動発電機50へ流れる場合、直流から交流に電気エネルギを変換し、また、エネルギが、電動発電機50からエネルギ蓄積装置64へ流れる場合、交流から直流に電気エネルギを変換する、電力インバータを含んでもよい。システムコントローラ65は、CANバスまたは類似構造により、モータコントローラ62に作動可能に接続されたエンジンコントローラであり、さらに、本明細書内で説明されるように、クラッチ55の係合，ブレーキ68の係合，スロットル14の位置，及び，バイパスバルブ70の位置を制御するように構成されている。
【００２３】
ベルト駆動装置49は、フロントエンジンの補機駆動装置（FEAD）として適用されてもよい。例えば、本明細書内で説明されるエンジン起動／停止モードの間に、１つ以上の車両補機78は、クラッチ55が係合されている場合、ベルト駆動装置49のベルト63を介してエンジンのクランクシャフト48により、駆動され、また、クラッチ55が係合されず、ブレーキ68が、サンギア42を停止させるように係合され、エンジン13が停止されている場合、電動発電機50により、駆動される。エンジン冷却ポンプまたはエアコン用コンプレッサーなどの車両補機78は、ベルト63によって駆動されるプーリ76と共転するシャフト79に動作可能に接続されている。
【００２４】
サンギア部材42は、連結部材58を介してシャフト56,30により、第１ロータ26と共転するように接続されている。ブレーキ68は、システムコントローラ65により、制御され、第１シャフト30を、スーパーチャージャーアセンブリ11の固定されたハウジングアセンブリ80に選択的に堅く固定する。特に、ブレーキ68は、ハウジングアセンブリ80の吸気カバー部82のキャビティ69（図４参照）内に収容される電磁ブレーキであるため、吸気カバー部82は、ブレーキ68を支持する。また、図４において描写されているように、ブレーキ68は、第１シャフト30を、吸気カバー部82に堅く固定するように、選択的に駆動される。
【００２５】
空気は、図１に概略的に示されている吸気カバー部82における吸込路85の吸気口84から、ロータハウジング部90の吸気開口部84A（図２１を参照）を通って、ロータ26と28との間を通過し、ハウジングアセンブリ80のロータハウジング部90によって部分的に形成されている排気路88の排気口86（図２３に最も示されている）へ、スーパーチャージャーアセンブリ11を横断するように、流れる。ロータハウジング部90は、ロータ26,28及びシャフト30,32を半径方向に包囲する。シャフト30は、ロータハウジング部90の軸方向の一端部から、吸気カバー部82へ延びている。バイパス通路94の一部92は、吸気カバー部82によって形成される。また、このバイパス通路94は、バイパスルートとして適用される。
【００２６】
バイパスバルブ70は、バイパス通路94内で支持され、また、バイパスバルブ70が図１に示されている閉鎖位置にある場合、バイパス通路94を実質的に閉じる。このバイパスバルブ70の位置は、概略的なものであり、また、バイパス通路94を通過する空気の流れが、バルブ70によって完全に遮断される位置を表していることが、意図されている。バイパスバルブ70は、コントローラ65によって制御され、図１の細線で示されている開放位置70Aに移動することが可能である。バイパスバルブ70が、開放位置70Aにあると、空気は、エンジンの過給が好ましくないような場合にロータ26,28をバイパスして、吸気部84から、バイパス通路94を経由して、スロットルボディ16へ流れることができる。
【００２７】
図２及び４は、ロータハウジング部90に取り付けられたギアカバー部95を示しており、このギアカバー部95は、遊星歯車装置41及びギア部材53,54を取り囲む。電動発電機50のモータハウジング部96は、ギアカバー部95に取り付けられている。ギアカバー部95とモータハウジング部96の双方は、固定されたハウジングアセンブリ80の一部である。ハウジングアセンブリ80は、吸込路85に延びる吸気管97を含み、この吸気管97は、吸気カバー部82に取り付けられている。ハウジングアセンブリ80は、さらに、ロータハウジング部90に取り付けられた排気ハウジング99に取り付けられ、排気路88に延びる排気管98を含む。この排気管98は、排気管98に接続された追加の延長管（図示せず）を介して、図１に示されているスロットルボディ16に作動可能に接続されている。
【００２８】
エンジンシリンダ内のピストンの動作は、プレナム18を通過する空気を引き入れ、負圧を作る。スロットル14が、図１に示されるような比較的閉鎖された位置にある場合、エンジン13によって作り出される負圧は、スロットル14にまたがっての圧力降下の形で圧力差を生む。スロットル14が、比較的開放された位置14Aに移動した場合、スロットル14にまたがる圧力降下は、軽減される。しかしながら、電動発電機50を制御することにより、この圧力差は、ロータ26,28に伝達され、ロータ26,28においてトルクを生成し、このトルクを、エネルギ蓄積装置64内の電気エネルギとして回収することができる。
【００２９】
換言すると、スロットル14が比較的開放された位置14Aにあると、圧力差が、スロットル14への上流の空気の流れにおける、吸気口84から排気口86まで、つまり、スーパーチャージャー12にまたがって作り出される。下記のように、スロットル14及びバイパスバルブ70が、エンジン13と連動して選択的に制御されることが可能である。これにより、スーパーチャージャー12及び電動発電機50が用いられ、エネルギ蓄積装置64に再生用電気エネルギを供給することを可能にしつつ、エンジンシリンダに所望の吸気圧力を供給するなどの様々な運転モードを提供することができる。蓄積された電気エネルギは、電動発電機50がモータとして機能するように制御される場合、交流電源，及び／または，クランクシャフト48によるトルク生成の代わりに、複数の車両電気システム及び装置に動力供給するように用いられることが可能である。
【００３０】
スーパーチャージャーアセンブリ11を備えたエンジンアセンブリ10は、様々な運転モードを実現可能にし、この様々な運転モードは、エンジンのトルク要求量のような車両の運転条件やエネルギ蓄積装置64のチャージ状態に基づいて、コントローラ65によって選択され、指定されることが可能である。エンジン13が停止している場合、補機車両部品78に動力供給するために、シャフト61においてトルクを生成するエンジン停止運転モードが用いられてもよい。本発明において用いられるエンジン13は、燃料及び／またはイグニッションが、エンジン13内の燃焼用として供給されない場合、停止している。このエンジン停止運転モードにおいて、コントローラ65は、モータとして電動発電機50を制御し、ブレーキ68を係合し、かつ、クラッチ55の連結を外す。これにより、トルクは、電動発電機50から、遊星歯車装置41を介して、補機部品78に伝達される。
【００３１】
車両の運転条件が、エンジン13が起動されるべきであると示した場合、エンジンアセンブリ10は、モータとして機能するように電動発電機50を制御し続けながら、かつ、ブレーキ68の係合を保持しつつクラッチ55を係合することによって、エンジン停止運転モードからエンジン起動運転モードへシンプルに移行されることが可能である。これにより、電動発電機50からのトルクは、クランクシャフト48に伝達され、エンジン13を起動する。
【００３２】
一旦エンジンが起動されると、コントローラ65が、エネルギ蓄積装置64から電動発電機50へ電気エネルギを移動させることなく、また、電動発電機50からエネルギ蓄積装置64へ電気エネルギを移動させることもなく、電動発電機50は、惰性で回転することができる。この電動発電機50の起動／停止能力は、エンジン13が、交通信号機などにおいてアイドリングするよりもむしろ停止し、予期される燃費の向上，及び，二酸化炭素排出量の削減をもたらすことを可能にする。従って、燃料節約は、エンジン13が停止している期間に実現され、また、エンジン13の再起動は、バッテリに蓄積された回収エネルギから生成される電気エネルギによって、実現される。
【００３３】
また、一旦エンジン13が起動されると、電動発電機50は、モータ，発電機のうちどちらでも機能することができる。エンジン13が動作している状態で、後述されるエンジン過給モード，ブレーキ回生モード，及び，スロットルロス回生モードが用いられる（図２５〜３０を参照）。エンジン過給運転モードは、例えば車両を加速させるために追加のトルクが駆動軸21において必要とされた場合、コントローラ65によって実現されることが可能である。
【００３４】
エンジン13が動作している状態で、この過給運転モードを実現するために、クラッチ55が係合され、かつ、ブレーキ68の連結が外れる。電動発電機50が、モータとして機能し、また、バイパスバルブ70が、図１に示されている閉鎖位置にあるように制御される。エンジン13は、トルクを供給し、ベルト駆動システム49及びキャリア部材46を介して、第１シャフト30を駆動する。電動発電機50は、トルクを供給し、噛み合いギア53,54及びリングギア部材44を介して、第１シャフト30を駆動する。これにより、第１シャフト30の回転速度が、電動発電機50のみを用いたシャフト61の回転速度と比べて、速くなり、リングギア部材44の回転速度を調整し、また、遊星歯車装置41を介して、シャフト56及び30の所望の回転速度を設定し、所望の過給圧力をもたらす。
【００３５】
これにより、エンジンのプレナム18に供給される過給圧力量を、トルク要求の変化に応じて、エンジン過給運転モード中に変化させることができる。まず、コントローラ65は、電動発電機50の速度を変化させ、エンジン過給運転モード中にプレナム18内に生成される過給圧力量を制御することができる。これに代えて、または、これに加えて、コントローラ65は、バイパスバルブ70の位置を制御することができ、例えば、図１に示されている閉鎖位置から開放位置70Aへバイパスバルブ70を移動させる。
【００３６】
これにより、吸気口84からの空気は、バイパス通路94を通って流れることができ、ロータハウジング90を経由してロータ26,28を通って流れる空気容量を減らし、これにより、空気がロータ26,28のみを通って流れる場合に生成される圧力と比較して、プレナム18における空気圧を減らす。バイパスバルブ70を完全開放位置70Aに開放するためのバイパスバルブ70の操作は、電動発電機50の速度を変化させることによって実現される、より漸次的な調整と比較して、プレナム18内の空気圧の比較的迅速な調整を可能にする。
【００３７】
過給圧力がより変化する調整は、バイパスバルブ70を、完全開放位置70Aと完全閉鎖位置との間の中間位置に設置することによって、実現される。電動発電機50の速度とバイパスバルブ70の位置の双方を制御することは、エンジンのトルク要求に合うように調整されるエンジンの過給を可能にする。スーパーチャージャー12によってプレナム18において生成される過給圧力が、エンジン速度に依存しないので、比較的一定のトルクが、エンジン13の動作速度の全体範囲にわたり、クランクシャフト48において得られる。また、クランクシャフト48におけるトルクは、エンジン動作速度の全体範囲にわたり、要求に合うように調整されることが可能である。
【００３８】
他の複数の車両運転モードとして、エンジンアセンブリ10及びスーパーチャージャーアセンブリ11は、エネルギ蓄積装置64の回生を提供する。これらのモード例において、コントローラ65は、車両の運転条件に基づいて適切な運転モードを選択するように用いられる。回生が好適である場合、回生を伴う運転モードが選択される。
【００３９】
例えば、図２５を参照すると、回生用の適切な運転モードを選択するための例示的な方法300が示されている。この例において、方法300は、運転条件を監視し、また、適切な運転モードを選択するコントローラ65によって実行される。
【００４０】
オペレーション302において、コントローラ65は、現在の車両運転条件を決定する。車両速度，トルク要求，及び，エネルギ蓄積装置64のチャージ状態等の要素が、コントローラ65によって考慮される。
【００４１】
次に、オペレーション304において、コントローラ65は、回生が好適かどうかを決定する。回生が好適であるならば、制御方法は、オペレーション306に進み、コントローラ65は、回生用の適切な運転モードを選択する。回生が好適でない場合、制御方法は、代わりにオペレーション302に戻り、より後の時点における車両運転条件を再評価する。
【００４２】
例えば、コントローラ65が、車両が急速に加速しており、過給が必要であると決定した場合、回生は好適でない。この場合、コントローラ65は、このシナリオ通りに、オペレーション302に戻るように制御するであろう。逆に、車両が例えばハイウェイを一定の速度率で移動している場合、コントローラ65は、オペレーション306に進むように制御し、回生用の適切なモードを選択するであろう。
【００４３】
回生をもたらす様々な回生運転モードが存在する。これらの回生運転モードのいくつかは、さもなければ失われるか、または、さもなければ車両の性能に目に見えて影響を及ぼさないようなエネルギの再回収を伴う、という点において“車両性能に影響がない”（図２６〜２８参照）。いくつかの他の回生運転モードは、さもなければ自動車を推進させるような他の目的のために用いられるエネルギを回収することを含む、という点において“車両性能に影響がある”（図２９，３０参照）。各々の回生運転モードが以下に記載される。
【００４４】
図２６を参照すると、スロットルロス回生モード310として適用される“車両性能に影響がない”１つの運転モードが、示されている。この例において、スロットル14は、完全開放され、また、スーパーチャージャー12を横切る圧力降下は、回生用のトルクを提供する。
【００４５】
エンジン13が動作中で、かつ、エンジンの過給が必要とされていない場合、例えば、車両が比較的一定の速度で走行しているとき、コントローラ65は、スーパーチャージャー12の速度を減速させ、また、スロットル14を制御することができ、それにより、スロットルロス（つまり、エンジンシリンダの運動によって作り出される負圧に関連した圧力降下）が、バイパスバルブ70を閉鎖した状態において、スロットル14とスーパーチャージャー12の双方にわたって生じる。
【００４６】
スロットル14の絞り位置は、スーパーチャージャー12を横切る望ましい圧力降下、及び、スーパーチャージャー12と少なくとも部分的に閉鎖されたスロットル14との双方を通って、エンジンシリンダに供給される空気流とバランスすることができる。バイパスバルブ70は、さらに、エンジン13への空気の流れに迅速な変化が必要とされる場合、このモードの間に、空気がスーパーチャージャー12をバイパスするように、制御されることが可能である。スーパーチャージャー12を横切る圧力降下によって生成されるトルクは、サンギア部材42に伝達される。これにより、このトルクは、遊星歯車装置41によって提供されるトルク分割によって、エンジンのクランクシャフト48、さらに、電動発電機50（発電機として動作するように制御された場合に限り）に伝達される。
【００４７】
スーパーチャージャー12を横切る圧力降下によって生成されるトルクのすべて，または，一部は、発電機として機能するように電動発電機50を制御することによって、エネルギ蓄積装置64に蓄積される電気エネルギに変換されることが可能である。この圧力降下から誘発されるトルクから生成され、蓄積される電気エネルギは、“スロットルロスの回収”として言及される。
【００４８】
長い走行期間の間、エンジンの過給が必要とされない場合、このスロットルロス回生モード310は、エネルギ蓄積装置64が所定の最大チャージ状態に到達するまで、保持されることが可能である。その後、ブレーキ68が用いられ、バイパスバルブ70が完全開放位置70Aに開放され、また、電動発電機50がモータとして機能するように制御され、エネルギ蓄積装置64が所定の最小チャージ状態に到達するまで、エンジンのクランクシャフト48にトルクを加える。このエネルギ蓄積装置64のチャージと枯渇の循環は、走行期間全体を通して継続することができる。
【００４９】
図２７を参照すると、スーパーチャージャーをロックした状態での制動回生モード320として適用される“車両性能に影響がない”もう１つの運転モードが、示されている。この例において、スーパーチャージャー12はロックされ、また、電動発電機50から、負トルクが、車両の制動をサポートするように提供され、次に、回生用のトルクを提供する。
【００５０】
また、スーパーチャージャーアセンブリ11は、スーパーチャージャーをロックした状態での制動回生モード320において、車両の制動中にエネルギを回収するように制御されることが可能である。車両の制動が駆動軸21を減速したとき、コントローラ65は、ブレーキ68を係合し、発電機として機能するように電動発電機50を制御するように構成される。これにより、電動発電機50がモータとして機能する場合に電動発電機50によって供給されるトルクの方向と反対方向になる逆方向のトルクを、電動発電機50に加える。これにより、この逆方向トルクは、遊星歯車装置41を介してクランクシャフト48にかけられ、また、電動発電機50によって生成される電気エネルギは、エネルギ蓄積装置64に蓄積される。このように、車両制動からのエネルギが再回収される。
【００５１】
図２８を参照すると、スーパーチャージャーをロック解除した状態での制動回生モード330として適用される“車両性能に影響がない”さらなるもう１つの運転モードが、示されている。これは、スーパーチャージャー12が、ロック解除されたままであることを除いて、上述のスーパーチャージャーをロックした状態での制動回生モード320と同様である。スロットル14及びバイパスバルブ70は、車両制動の間、スーパーチャージャー12の下流における圧力が増加し、また、スーパーチャージャー12に制動させるように、コントローラ65によって制御される。その後、電動発電機50は、エネルギ蓄積装置64をチャージするためのエネルギを回生しつつ、負トルクを用いて車両を減速させる。
【００５２】
図２９を参照すると、ポンピング回生モード340として適用される“車両性能に影響がある”１つの運転モードが、示されている。これは、電動発電機50が、エンジン13への空気の取り入れに対する抵抗を増加させる負トルクを用いることを除いて、上述のスロットルロス回生モード310と同様である。このモードは、スーパーチャージャー12によって生成されるトルクが、エネルギ蓄積装置64をチャージするために電動発電機50に適用されつつ、エンジン13が、高速で動作するために、追加燃料を消費する（“車両性能に影響がある”）ことをもたらす。
【００５３】
最後に、図３０を参照すると、エンジン回生モード350として適用される“車両性能に影響がある”もう１つの運転モードが、示されている。この例において、スーパーチャージャー12は、ブレーキ68によって停止されており、また、エンジン13からのトルクは、エネルギ蓄積装置64を回生するために、電動発電機50に適用されるように方向付けられる。電動発電機50にトルクを供給し、エネルギ蓄積装置64をチャージするために、燃料がエンジン13によって消費される（“車両性能に影響がある”）。
【００５４】
図１を再度参照すると、オイルスリンガ100が、プーリシャフト61と共転するようにプーリシャフト61に取り付けられている。図１９は、プーリシャフト61から機械的に分離されたオイルスリンガ100の斜視図である。このオイルスリンガ100は、プーリシャフト61の外面に嵌合するように形成された第１内径104を有する第１端部102を備えた環状部材である。第２端部106は、第１端部102より大きい直径を有し、オイルスリンガ100は、プーリシャフト61から第２端部106に向かって拡開する。
【００５５】
図３に最もよく示されているように、オイルスリンガ100は、第２端部106が遊星歯車装置41に面するようにプーリシャフト61上に設置される。図１９は、オイルスリンガ100の第１端部102と第２端部106との概ね中間における外周に一連の窪み部108が、形成されていることを示している。この窪み部108の各々は、開口部110を有しており、この開口部110の各々は、同一回転方向に面して開口している。各窪み部108は、より大きい端部106とより小さい端部102との間の軸方向においてテーパ状になっている。
【００５６】
プーリシャフト61が時計回りの方向に回転する場合、オイルスリンガ100も時計回りに回転し、また、ギアカバー部95内のオイルミストは、開口部110から入り、窪み部108によって取込まれる。オイルミストは、窪み部108の内表面112に接触する。オイルスリンガ100の回転は、オイルミストを、オイルスリンガ100の内面114に沿って第２端部106の方へ移動させ、また、矢印Aの方向にオイルスリンガ100から推進させる。このオイルは、概して、遊星歯車装置41への注油のために、遊星歯車装置41の方へ散布される。
【００５７】
図２は、互いに取り付けられたハウジングアセンブリ80の様々な部品を備えたスーパーチャージャーアセンブリ11を示している。吸気管97は、図１８に示されているような吸気カバー部82の開口部113と合致する複数の開口部を有し、ファスナ115を用いて、吸気口84を覆うように吸気管97を吸気カバー部82に取り付ける。ここで用いられるファスナは、２つの隣接する部品を連結するために用いられる、ボルト，ねじ，その他の適切なファスナなどのあらゆる適切な部品である。
【００５８】
図３は、歯付端部118を有する第１シャフト30の延長部116を示している。フランジ122を備えた回転部材120が、歯付端部118にスプライン結合され、また、ベアリング124によって吸気カバー部82に支持されており、これにより、回転部材120は、吸気カバー部82に対して回転可能になっている。延長部116，歯付端部118，回転部材120，及び，フランジ122は、キャビティ69内に配置されている。電磁ブレーキ68は、図１８に示されている配線用開口部126を通過して延びるケーブル（図示せず）を経由して、コントローラ65によって選択的に作動可能である。このケーブルは、ブレーキ68内のコイル128を作動させるために用いられる電気エネルギを供給し、ブレーキ68は、電磁吸引によって吸気カバー部82に対して静止するようにフランジ122を保持する。
【００５９】
コイル128は、図１８ではなく図３に示されている。ブレーキカバー130が、吸気カバー部82における開口部134内に延びるファスナ132によって、吸気カバー部82に取り付けられている。図１に関して前述したように、吸気カバー部82は、さらに、バイパス通路94の一部92を形成している。この一部92は、吸気口84と流体連通し、また、吸気カバー部82内に延びている。
【００６０】
バイパス通路94の一部92は、図１８において、ブレーキキャビティ69を覆うように、また、吸気カバー部82の底面から延びるように示されている。説明のため、一部92は、図１において、ブレーキ68の上方にのみ示されている。吸気カバー部82内において、一部92のあらゆる適切な幾何学的配置が、用いられてもよい。バイパス通路94は、吸気カバー部82に接続され、一部92に連通している。また、バイパス通路94は、T字形配管または同様のものを用いて、吸気カバー部82及び吸気管97より上流に取り付けられてもよい。
【００６１】
図２は、吸気カバー部82をロータハウジング部90に取り付けるために用いられるファスナ135を示している。ここでは１つのファスナ135のみが示されているが、複数の追加のファスナ135が、ロータハウジング部90及び吸気カバー部82の接触部近辺の様々な複数の位置に取り付けられることが可能である。図３は、吸気カバー部82がロータハウジング部90に取り付けられた場合、第１シャフト30が、ロータハウジング部90から吸気カバー部82内へ延びることを示している。
【００６２】
図５は、スーパーチャージャーアセンブリ11の一部のより拡大した図であり、この図は、遊星歯車装置41，及び，遊星歯車装置41の第１シャフト30への作動接続を示している。特に、連結部材58は、モータハウジング部96の開口部140内に位置している。連結部材58は、第１部材142を含み、この第１部材142は、第１シャフト30に嵌合され、かつ、周辺に位置する複数のピン146を用いてシャフト56のフランジ144にピン留めされている。連結部材58は、シャフト30を軸にしたスーパーチャージャーアセンブリ11から発生する圧力脈動，または，シャフト61からのエンジン脈動によって引き起こされる可能性がある、ねじり振動を吸収する。シール148は、第１シャフト30をロータハウジング部90に対してシールし、ロータハウジング部90からの空気の漏れを防止する。
【００６３】
図６から８は、複数のファスナ用開口部150のパターンを含むギアカバー部95を示しており、これら開口部150のパターンは、図１３に示されているモータカバー部96における複数のファスナ用開口部152のパターンと合致する。ファスナ157（図４において２つ示されている）が、位置合わせした開口部150,152を通ってギアカバー部95をモータハウジング部96に取り付けるように、用いられている。いくつかのファスナ用開口部150が、図６において、ギアカバー部95に取付フランジ154によって覆い隠されている。この取付フランジ154は、複数のファスナ用開口部156を有するが、これらに通す複数のファスナは、ギアカバー部95、これにより、スーパーチャージャーアセンブリ11全体を、図１のエンジン13に取り付けるためにセットされる。
【００６４】
プーリ59が、プーリ59内の開口部を通って延びる六角穴付ねじ158と共に示されており（図４参照）、この六角穴付ねじ158は、プーリ59をプーリシャフト61に取り付ける。このプーリシャフト61は、ギアカバー部95における１つの開口部を通って延びている。ワッシャ161が、六角穴付ねじ158とプーリシャフト61との間に設置されている。図４に示されているベアリング160A,160Bは、プーリシャフト61及びプーリ59が、ギアカバー部95に対して回転することを可能にする。ギアカバー部95を貫通する少なくとも１つの通路162は、潤滑流体を、ギアカバー部95の中を通してベアリング160A,160Bに向ける。
【００６５】
シール164が、シャフト61が延びているギアカバー部95内の開口部において、ギアカバー部95とプーリ59との間に設置されている。図７に最も示されているように、波形皿バネ166Aが、プーリ59とベアリング160Aとの間に設置されており、この波形皿バネ166Aは、ベアリング160Aの内輪が、シャフト61に対して回転することを妨げ、また、累積公差に対処する。もう１つの波形皿バネ166Bが、ベアリング160Bとギアカバー部95の突起部との間に設置されており、この波形皿バネ166Bは、ベアリング160Bの外輪が、ギアカバーハウジング95内で回転することを妨げる。
【００６６】
皿バネ166C,166Dが、さらに、ギアカバー部95と、モータギア53のシャフト端部，及び，中間ギア54のシャフト端部との間に其々用いられており、これらの皿バネ166C,166Dは、ギアカバー部95の複数の凹部169内に収容された複数のニードルベアリング168A,168Bにかかっている。これらの皿バネ166C,166Dは、摺動面を提供し、また、累積公差に対処する。ニードルベアリング168Aは、ギア53が、モータハウジング部96に対して回転すること、及び、モータハウジング部96内に延びることを可能にする。ギア53は、モータシャフト52にスプライン結合されている（図４参照）。ニードルベアリング168B及び188は、ギア54が、ギアハウジング部95及びモータハウジング部96に対して回転することを可能にする。
【００６７】
図２０は、ギアカバー部95が、複数のリブ167A,167B,167Cを有することを示しており、これらのリブ167A,167B,167Cは、戦略的に、オイルを収集し、ギアカバー部95内にオイルを方向付ける。リブ167A及び167Bは、概して、ニードルベアリング168A,168Bが収容されている其々の凹部169の上方にV字形を形成する。ギアカバー部95内の油滴は、リブ167A,167Bにおいて収集され、其々の凹部169にドレーンされ、ベアリング168A,168Bを潤滑する。リブ167Cは、V字形を形成し、戦略的に、ギアカバー部95内のオイルを通路162へ方向付ける。オイルは、通路162を経由して、ベアリング160A,160B間の開口部151内の空間にドレーンされ、ベアリング160A, 160Bを潤滑する。
【００６８】
図９から１２は、排気管98を備えた排気ハウジング99を示しており、この排気管98は、排気ハウジング99から延びている。この実施形態において、排気管98と排気ハウジング99は、溶接されている。図２１及び２２の実施形態において、排気ハウジング99Aと排気管98Aは、単一のワンピースの排気用部品101である。図９の排気ハウジング99は、複数のファスナ用開口部170のパターンを有し、これら開口部170のパターンは、ロータハウジング部90における排気口86の周囲に存在する複数のファスナ用開口部177のパターン（図２３参照）と合致する。
【００６９】
排気ハウジング99をロータハウジング部90に接続する１つのファスナ172が、図２に示されている。図９は、開口部174を備えたフランジ173を示しており、この開口部174は、排気ハウジング99をエンジン13に取り付けるために用いられる。排気ハウジング99の開口部103は、ロータハウジング部90の排気口86と流体連通している。排気管98の排気口176は、図１のスロットルボディ16に送り込まれている。
【００７０】
図１３から１５は、開口部182を有する取付フランジ180を備えたモータハウジング部96を示しており、この開口部182によって、モータハウジング部96は、図１のエンジン13に取り付けられることが可能である。この取付フランジ180は、ギアカバー部95のフランジ154と同一方向に延びている。シール185は、モータハウジング部96の開口部186内に設置されており、図４に示されているように、モータシャフト52は、この開口部186内において、第１ギア部材53にスプライン結合されている。
【００７１】
ニードルベアリング188は、モータハウジング部96の他の開口部190内に設置されており、第２ギア部材54は、この開口部190内において、回転支持されている。ロータハウジング部90は、複数の段付開口部192内に延びる複数のファスナを用いて、モータハウジング部96の開口部140の周囲に取り付けられることが可能である。図１４は、モータハウジング部96が、フランジの周囲に複数の開口部193を有することを示しており、図４のモータコントローラハウジング194は、この開口部193内に延びる複数のファスナによってモータハウジング部96に取り付けられている。モータハウジング部96は、電動発電機50を冷却するための一体型の冷却フィン196を含む。
【００７２】
図１６から１８は、キャビティ69内に延びる延長部116に歯付端部118を備えた吸気カバー部82を示している。図１７は、吸気カバー部82に対して回転するように延長部116を支持しているベアリング198を示している。止め輪200が、吸気カバー部82のボア内において、このベアリング198を保持している。波形皿バネ202が、ベアリング198と吸気カバー部82との間の軸方向スラスト力を吸収し、ベアリング198の外輪が、ボア内で回転することを防止する。段付開口部204が、吸気カバー部82内に延びており、この段付開口部204は、吸気カバー部82が複数のファスナ（図示せず）を用いてロータハウジング部90に取り付けられることを可能にする。
【００７３】
図２１及び２２は、排気ハウジング99A及び排気管98Aを含む単一のワンピースの排気用部品101を示している。この排気用部品101は、図２４のスーパーチャージャーアセンブリ11Aに示されているように、図２のスーパーチャージャーアセンブリ11の排気ハウジング99及び排気管98の代わりに用いられることが可能である。また、スーパーチャージャーアセンブリ11Aのその他の部品は、スーパーチャージャーアセンブリ11と同一である。延長管105が、排気管98Aに溶接され、スロットルボディ16に接続されることが可能である。
【００７４】
排気ハウジング99Aは、概ね五角形に形作られる開口部103Aを有する。この開口部103Aは、より幅の広い端部に向かい合って、テーパ状のV字形端部を有する。図２３は、ロータハウジング部90の排気口86が、同様に、概ね五角形に形作られ、開口部103Aと概ね同一の形状であることを示している。排気管98Aは、排気ハウジング99Aから45度の角度で延びている。これら、開口部103Aの概ね五角形形状、及び、排気ハウジング99Aから延びている排気管98Aの角度は、有益な気流特性を提供する。図２４は、スーパーチャージャーアセンブリ11Aを示しており、このスーパーチャージャーアセンブリ11Aは、排気ハウジング99及び排気管98の代わりに排気用部品101を含むハウジングアセンブリ80Aを備えていること以外は、図２のスーパーチャージャーアセンブリ11と同様である。
【００７５】
図１及び２から明らかなように、ハウジングアセンブリ80は、電動発電機50及びロータハウジング部90が、プーリ59に対してギアカバー部95の反対側に存在するように構成されている。さらに、吸込路85及び吸気管97は、電動発電機50に隣接しており、また、排気路88及び排気管98は、電動発電機50に対してロータハウジング部90の反対側に存在する。ハウジングアセンブリ80Aも同様に配置される。当然のことながら、スロットルボディ16及びスロットル14は、エンジン13に空気を流す吸気管97の上流に配置されてもよく、この場合、スーパーチャージャー12は、スロットル14から空気を取込み、また、本明細書内で説明した同一の複数の運転モードを使用可能にするであろう。
【００７６】
本教示における多くの様態を実施するための最良の形態を詳細に記載した一方で、これらの教示に関連する当業者は、添付の請求の範囲内に存在する本教示を実施するための様々な代替の様態を認識するであろう。
【符号の説明】
【００７７】
図面に用いられる符号，及び，符号に対応する部品の指定は、以下の通りである。
10…エンジンアセンブリ、  11,11A…スーパーチャージャーアセンブリ、  
12…スーパーチャージャー、  13…エンジン、  14…スロットル、  
14A…スロットルの完全開放位置、  16…スロットルボディ、  18…プレナム、  
20…吸気マニホールド、  21…駆動軸、  22…トランスミッション、  
24…一組のロータ、  26…第１ロータ、  28…第２ロータ、  30…第１シャフト、  
31…第１の一組のプレート、  32…第２シャフト、  33…第２の一組のプレート、  
34…第１ギア、  35…クラッチハウジング、  36…第２ギア、  37…スプリング、  
38…アプライプレート、  39…コイル、  41…遊星歯車装置、  42…サンギア部材、  
44…リングギア部材、  46…キャリア部材、  47…ピニオンギア、  
48…クランクシャフト、  49…ベルト駆動装置、  50…電動発電機、  
52…モータシャフト、  53…第１ギア部材、  54…第２ギア部材、  55…クラッチ、  
56…シャフト、  57…プーリ、  58…部分的に柔軟な連結部材、  59…プーリ、  
61…プーリシャフト、  62…モータ制御装置、  63…ベルト、  
64…エネルギ蓄積装置、  65…システムコントローラ、  66…電力ケーブル、  
68…ブレーキ、  69…キャビティ、  70…バイパスバルブ、  
70A…バイパスバルブの完全開放位置、  76…プーリ、  78…車両補機、  
79…シャフト、  80,80A…固定されたハウジングアセンブリ、  82…吸気カバー部、  
84…吸気カバー部の吸気口、  84A…ロータハウジング部の吸気開口部、  
85…吸込路、  86…排気口、  88…排気路、  90…ロータハウジング部、  
92…バイパス通路の一部、  94…バイパス通路、  95…ギアカバー部、  
96…モータハウジング部、  97…吸気管、  98,98A…排気管、  
99,99A…排気ハウジング、  100…オイルスリンガ、  101…排気用部品、  
102…オイルスリンガの第１端部、  103…排気ハウジング99の開口部、  
103A…排気ハウジング99Aの開口部、  104…第１内径、  105…延長管、  
106…オイルスリンガの第２端部、  108…窪み部、  110…開口部、  
112…窪み部の内表面、  113…吸気カバー部の開口部、  
114…オイルスリンガの内面、  115…ファスナ、  116…第１シャフトの延長部、  
118…歯付端部、  120…回転部材、  122…フランジ、  124…ベアリング、  
126…配線用開口部、  128…コイル、  130…ブレーキカバー、  
132…ファスナ、  134…開口部、  135…ファスナ、  
140…モータハウジング部の開口部、  142…連結部材の第１部材、  
144…シャフト56のフランジ、  146…ピン、  148…第１シャフトのシール、  
150…ギアカバー部におけるファスナ用開口部、  151…開口部、  
152…モータカバー部におけるファスナ用開口部、  154…取付フランジ、  
156…ファスナ用開口部、  157…ファスナ、  158…六角穴付ねじ、  
160A,160B…ベアリング、  161…ワッシャ、  162…通路、  164…シール、  
166A,166B…波形皿バネ、  166C,166D…皿バネ、  167A,167B,167C…リブ、  
168A,168B…ニードルベアリング、  169…凹部、  170…ファスナ用開口部、  
172…ファスナ、  173…フランジ、  174…開口部、  176…排気管の排気口、  
177…ファスナ用開口部、  180…取付フランジ、  182…開口部、  185…シール、  
186…開口部、  188…ニードルベアリング、  190…開口部、  192…段付開口部、  
193…開口部、  194…モータコントロールハウジング、  196…冷却フィン、  
198…ベアリング、  200…止め輪、  202…波形皿バネ、  204…段付開口部、  
300…回生用の方法、  302,304,306…方法のオペレーション、  
310…スロットルロス回生モード、  
320…スーパーチャージャーをロックした状態での回生モード、  
330…スーパーチャージャーをロック解除した状態での回生モード、  
340…ポンピング回生モード、  350…エンジン回生モード、  A…オイルの方向  
【図１】
2015514624.tif 000003
【図２】
2015514624.tif 000004
【図３】
2015514624.tif 000005
【図４】
2015514624.tif 000006
【図５】
2015514624.tif 000007
【図６】
2015514624.tif 000008
【図７】
2015514624.tif 000009
【図８】
2015514624.tif 000010
【図９】
2015514624.tif 000011
【図１０】
2015514624.tif 000012
【図１１】
2015514624.tif 000013
【図１２】
2015514624.tif 000014
【図１３】
2015514624.tif 000015
【図１４】
2015514624.tif 000016
【図１５】
2015514624.tif 000017
【図１６】
2015514624.tif 000018
【図１７】
2015514624.tif 000019
【図１８】
2015514624.tif 000020
【図１９】
2015514624.tif 000021
【図２０】
2015514624.tif 000022
【図２１】
2015514624.tif 000023
【図２２】
2015514624.tif 000024
【図２３】
2015514624.tif 000025
【図２４】
2015514624.tif 000026
【図２５】
2015514624.tif 000027
【図２６】
2015514624.tif 000028
【図２７】
2015514624.tif 000029
【図２８】
2015514624.tif 000030
【図２９】
2015514624.tif 000031
【図３０】
2015514624.tif 000032
【国際調査報告】
2015514624.tif 000033
2015514624.tif 000034
2015514624.tif 000035
2015514624.tif 000036
2015514624.tif 000037